(57)【要約】【課題】ワンタッチ操作でスタンド式の容器に展開させることができ、自立性によって適当な場所に立て置くことが可能な自立可能な折り畳み容器を提供する。【解決手段】シート材料を用いた一対の側壁４、４が互いに重なり合う折り畳み状態から両側の側縁を互いに押し込むことで筒状に展開させることができるように形成された容器本体２と、折り目線を挟んで連なる一対の底壁１２、１２が二つ折り状態から両側に展開可能となる底部材３からなり、前記側壁４と底壁１２を、容器本体２を筒状に展開させたとき、側壁４、４の開離した部分での引張りにより底部材３の底壁１２、１２が容器本体２の下端部で両側に展開するようにそれぞれ連結する。【選択図】図２
0003152642.tif 000002
【実用新案登録請求の範囲】
【請求項１】
シート材料を用いた一対の側壁が互いに重なり合う折り畳み状態から両側の側縁を互いに押し込むことで筒状に展開させることができるように形成された容器本体と、
折り目線を挟んで連なる一対の底壁が二つ折り状態から両側に展開可能となる底部材からなり、
前記底部材を二つ折りにした状態で、容器本体の下端部における側壁の対向面間に収め、
重なり合う関係にある前記側壁と底壁を、容器本体を筒状に展開させたとき、側壁の開離した部分での引張りにより底部材の底壁が容器本体の下端部で両側に展開するようにそれぞれ連結した自立可能な折り畳み容器。
【請求項２】
上記底部材は、両底壁の折り目線に沿う方向の長さが、折り畳んだ容器本体の両側縁間に納まる長さに設定され、二つ折り状態で折り目線側が容器本体の内側に位置し、底壁の一部が側壁の下縁から外側に突出する配置で容器本体内に収め、前記側壁と底壁を側壁の下縁に設けた接続片で連結した請求項１に記載の自立可能な折り畳み容器。
【請求項３】
上記容器本体における側壁の何れか一方の上端縁に、相手側壁側に向けて折り曲げることにより、容器本体の筒状に展開させた状態を保持する蓋壁を設け、この蓋壁の端縁中央部に収容物の取り出し用切り欠きを形成した請求項１又は２に記載の自立可能な折り畳み容器。
【考案の詳細な説明】
【技術分野】
【０００１】
この考案は、ポップコーンのような収容物を収容して持ち運ぶのに適した折り畳み容器、更に詳しくは、両側縁を押すだけで収容物のすくい入れが可能になるよう筒状に展開させることができ、しかも、下端部に設けた底部材が両側に展開して設置面となり、自立させることが可能となるスタンド式の折り畳み容器に関する。
【背景技術】
【０００２】
従来、ポップコーンを収納してテイクアウトしたり、映画館、パチンコ等の遊技場、遊園地などで持ち運んだり食する場合に用いられている紙製の手持ち容器は、運搬時や保管時の利便性から、通常は折り畳んだり全体を開いた扁平な形状となり、使用時に円錐形に展開させたり角筒形に組立てることで容器とし、この容器にポップコーンをすくい入れると共に、容器を手で保持して持ち歩くような構造になっている（例えば、特許文献１と２参照）。
【先行技術文献】
【特許文献】
【０００３】
【特許文献１】特願２００４−１４９１４６号公報
【特許文献２】実開平４−１１５１１５号公報
【考案の概要】
【考案が解決しようとする課題】
【０００４】
ところで、円錐形に展開させる紙製の手持ち容器は、自立性がないためポップコーンがなくなるまで手に持ったままでいなければならず、両手が使えないことで不便を感じるだけでなく、上端開口が単に開放された構造になっているので、上から異物や埃が混入しやすいと共に、ポップコーンを食するときは手で直接摘んで取り出す必要があるので衛生的にも好ましくない。
【０００５】
また、角筒形に組立てる紙製の手持ち容器は、自立性を持たせたり、上部に設けた蓋によって異物や埃の混入を防ぐことができるという利点はあるが、使用に際して、一枚の厚紙に施した各折り目線に沿って折り曲げながら容器を組立てなければならないので、組み立てに手間と時間が係り、ポップコーンの店頭販売に対応するのがスピード的に困難であるという問題がある。
【０００６】
そこで、この考案の課題は、ワンタッチ操作でスタンド式の容器に展開させることができ、自立性によって適当な場所に立て置くことが可能になり、しかも、異物や埃の混入を防ぎ、収容物を手に触れることなく衛生的に食することができる自立可能な折り畳み容器を提供することにある。
【課題を解決するための手段】
【０００７】
上記の課題を解決するため、この考案は、シート材料を用いた一対の側壁が互いに重なり合う折り畳み状態から両側の側縁を互いに押し込むことで筒状に展開させることができるように形成された容器本体と、折り目線を挟んで連なる一対の底壁が二つ折り状態から両側に展開可能となる底部材からなり、前記底部材を二つ折りにした状態で、容器本体の下端部における側壁の対向面間に収め、重なり合う関係にある前記側壁と底壁を、容器本体を筒状に展開させたとき、側壁の開離した部分での引張りにより底部材の底壁が容器本体の下端部で両側に展開するようにそれぞれ連結したものである。
【０００８】
上記底部材は、両底壁の折り目線に沿う方向の長さが、折り畳んだ容器本体の両側縁間に納まる長さに設定され、二つ折り状態で折り目線側が容器本体の内側に位置し、底壁の一部が側壁の下縁から外側に突出する配置で容器本体内に収め、前記側壁と底壁を側壁の下縁に設けた接続片で連結したものである。
【０００９】
また、上記側壁の何れか一方の上端縁に、相手側壁側に向けて折り曲げることにより、容器本体の筒状に展開させた状態を保持する蓋壁を設け、この蓋壁の端縁中央部に収容物の取り出し用切り欠きを形成した構造とすることができる。
【００１０】
ここで、容器本体は厚紙や合成樹脂シート等のシート材料を用い、二枚の側壁が上部の幅に対して下部の幅が少し狭くなるよう両側縁が傾斜する台形状となり、この両側壁を一方の側縁で互いに連なるように一枚の厚紙から形成し、両側壁を二つ折りに重ねて他方側縁を互いに接着固定することにより、扁平な折り畳み状態から両側縁を押して筒状に展開させることのできる容器本体になる。
【００１１】
両側壁の下端縁は、容器本体の上下軸線に対して直角の水平直線縁に形成され、一方側壁の上端縁は上方に膨出する大きな曲率の円弧縁になっており、また、他方側壁の上端縁は、前記一方側壁の上端円弧縁よりも上方に突出する曲率の円弧縁に形成され、この他方側壁には、上端円弧縁の両端部間を結ぶように、上端円弧縁と逆方向の円弧となる折り曲げ線が施され、折り曲げ線と上端円弧縁の間が一方側壁に向けて折り曲げる蓋壁となり、前記蓋壁における円弧縁の幅方向中央部に収容物の取り出し用切り欠きが形成されている。
【００１２】
上記他方側壁の蓋壁は、上端円弧縁と折り曲げ線の間で紡錘形となり、容器本体を筒状に展開した状態で、この蓋壁を折り曲げ線から一方側壁に向けて折り曲げると、蓋壁は折り曲げ線の円弧に沿って湾曲することで、折り曲げ状態を自己保持し、容器本体の上端開口を閉鎖すると同時に、容器本体の筒状を保持することになる。
【００１３】
上記底部材は容器本体と同様のシート材料を用い、折り目線を挟んで連なる一対の底壁が二つ折り状態から両側に展開可能となるように形成され、両底壁には折り目線上に中央長孔と、折り目線を挟んで等距離はなれた位置に外側長孔が設けられ、底部材を展開した状態で、容器本体の各側壁の下縁に連成した帯状の接続片を外側長孔に上から通し、底壁の下面で折り曲げてその先端部を中央長孔に下から通すように折り曲げることにより、側壁と底壁を連結している。
【００１４】
このような連結構造によって、容器本体の両側壁を二つ重ねに畳めば、両側壁の接続片が接近移動することで、底部材は二つ折りとなって両側壁間に納まり、全体が扁平な折り畳み状態となる。
【考案の効果】
【００１５】
この考案によると、両側の側縁を互いに押し込むことで筒状に展開させることができる容器本体の下部に、底壁が二つ折り状態から両側に展開可能となる底部材を設け、前記容器本体の側壁と底部材の底壁を、容器本体を筒状に展開させたとき、底部材の底壁が容器本体の下端部で両側に展開するように連結したので、折り畳まれた容器本体をワンタッチ操作で筒状に展開すると、底部材はこれに連動して両側に開くことで設置面となり、これによって容器本体は自立性が生じ、適当な場所に立て置くことが可能になるので、容器本体を常時手で持っていなければならないという不便を解消することができる。
【００１６】
また、容器本体の一方側壁の上端部に相手側壁に向けて折り曲げる蓋壁を設けたので、収容物を収納した容器本体の上部開口を閉鎖することで、異物や埃の混入を防ぐことができる。
【００１７】
更に、蓋壁の端縁中央部に収容物の取り出し用切り欠きを形成したので、容器本体を傾けるだけで切り欠きから収容物を取り出すことができ、これを直接口に滑り込ませることで、収容物を手に触れることなく衛生的に食することができる。
【図面の簡単な説明】
【００１８】
【図１】（ａ）はこの考案に係る自立可能な折り畳み容器の扁平に折り畳んだ状態の斜視図、（ｂ）は（ａ）の矢印ｂ−ｂ線での拡大した縦断面図
【図２】（ａ）は自立可能な折り畳み容器の展開させた使用時の状態を示す斜視図、（ｂ）は同上の拡大した縦断側面図、（ｃ）は同じく底面図
【図３】（ａ）は容器本体の展開図、（ｂ）は底部材の展開図
【図４】（ａ）は容器本体を手で保持した状態の正面図、（ｂ）は容器本体に両側から力を加えて筒状に展開させた状態の斜視図
【図５】（ａ）は容器本体に収容物をすくい入れる状態を示す斜視図、（ｂ）は収容物をすくい入れた容器本体を縦向きにした時の蓋壁の構造を示す拡大した縦断面図
【図６】（ａ）は収容物を収納した容器本体を倒して収容物を取り出す場合の正面図、（ｂ）は収容物の取り出し量を多くした場合の正面図、（ｃ）は容器本体に収納した収容物を食している状態の斜視図
【考案を実施するための形態】
【００１９】
以下、この考案の実施の形態を図示例に基づいて説明する。
【００２０】
図１と図２のように、自立可能な折り畳み容器１は、折り畳み状態から両側の側縁を互いに押し込むことで筒状に展開させることができる容器本体２と、この容器本体２の下端部に設けた底部材３からなり、容器本体２の折り畳みと展開に連動して底部材３にも折り畳みと展開が生じるようになっている。
【００２１】
上記容器本体２は、厚紙や合成樹脂シートのようなシート材料を用い、図３（ａ）のように、二枚の側壁４、４が上部の幅に対して下部の幅が少し狭くなるよう両側縁が傾斜する台形状となり、この両側壁４、４を一方の側縁で互いに連なるように一枚の厚紙から形成し、両側壁４、４を折り目線５で二つ折りに重ねて他方側縁を糊付け片６で互いに接着固定することにより、扁平な折り畳み状態から両側縁を押して筒状にワンタッチで展開させることができるようになっている。
【００２２】
この容器本体２において、両側壁４、４の下端縁は、容器本体２の上下軸線に対して直角の水平直線縁に形成され、一方側壁４の上端縁は上方に膨出する大きな曲率の円弧縁になっており、また、他方側壁４の上端縁は、前記一方側壁の上端円弧縁よりも上方に突出する曲率の円弧縁に形成されている。
【００２３】
上記両側壁４、４の下端縁で幅方向の中央位置に、底部材３と連結する帯状の接続片７、７が下向きの延長状に突設されている。
【００２４】
上記他方側壁４の上部には、上端円弧縁の両端部間を結ぶように、上端円弧縁と逆方向の円弧となる内折り用の折り曲げ線８が施され、前記折り曲げ線８と上端円弧縁の間が一方側壁に向けて折り曲げる蓋壁９になっている。
【００２５】
この蓋壁９は紡錘形となり、容器本体２を筒状に展開した状態で、この蓋壁９を折り曲げ線から一方側壁４に向けて内側に折り曲げると、蓋壁９は折り曲げ線８の円弧に沿って湾曲することで、折り曲げ状態を自己保持し、容器本体２の上端開口を閉鎖すると同時に、容器本体２の筒状を保持することになる。
【００２６】
上記蓋壁９には、円弧縁の幅方向中央部に収容物ａの取り出し用切り欠き１０が略半円形の形状に形成され、容器本体２を傾けることで、切り欠き１０から収容物ａを取り出すことができるようになっている。
【００２７】
上記底部材３は、材料に容器本体２と同様のシート材料を用い、図３（ｂ）のように、直線の折り目線１１を挟んで連なる一対の底壁１２、１２が二つ折り状態から両側に展開可能となるように形成され、両底壁１２、１２は直線となる折り目線１１と反対の外縁が円弧状の膨出縁となる板状となり、両底壁１２、１２の折り目線１１に沿う方向の長さが、折り畳んだ容器本体２の両側縁間に納まる長さに設定され、二つ折り状態で折り目線１１側が容器本体２の内側に位置し、底壁１２、１２の一部が側壁４、４の下縁から外側に突出する配置で容器本体２内に収まるようになっている。
【００２８】
上記底部材３の両底壁１２、１２には、折り目線１１上に中央長孔１３と、折り目線１１を挟んで等距離はなれた位置に外側長孔１４、１４が平行状態の配置で設けられ、図２（ｂ）のように、底部材３を展開した状態で、容器本体２の各側壁４、４の下縁に連成した帯状の接続片７を外側長孔１４に上から通し、底壁１２の下面で折り曲げてその先端部を中央長孔１３に下から通すように折り曲げることにより、側壁４と底壁１２を連結している。
【００２９】
この考案の自立可能な折り畳み容器１は、上記のような構成であり、運搬時や保管時は、図１（ａ）と（ｂ）に示すように、容器本体２を両側壁４、４が重なるように折り畳み、底部材３を二つ折り状態で両側壁４、４間の下端部に挟み込み、全体を扁平な形状にしておく。
【００３０】
この状態で、蓋壁９は側壁４の延長状となり、また、両側壁４、４に設けた接続片７、７は底部材３の二つ折りによって内側に折れ曲がっている。
【００３１】
先ず、容器本体２内に収容物ａを入れる場合は、図４（ａ）のように、容器本体２を片手で保持し、側壁４、４の両側縁を内側に向けて押すと、容器本体２は図４（ｂ）のように、断面紡錘形の筒状に展開し、この状態で容器本体２を倒して図５（ａ）のように、上端の開口から収容物ａをスコップのように必要量だけすくい入れ、その後、容器本体２を縦向きの位相に戻し、図５（ｂ）の実線で示した蓋壁９を同図一点鎖線のように内側に折り込み、容器本体の上端部を閉鎖する。
【００３２】
容器本体２は、内部に収納した収容物ａの存在と蓋壁９の折り曲げによって筒状の展開状態は保持され、蓋壁９が容器本体２の内部に異物や埃の混入を防ぐことになる。
【００３３】
上記のように、容器本体２を筒状に展開させると、両側壁４、４は対向面が離開するので、この両側壁４、４に設けた接続片７、７が底部材３の両底壁１２、１２を両側に引くことになり、これにより、底部材３は両底壁１２、１２が両側に展開することで、図２（ｂ）のように、容器本体２の下端部で両側に開き、設置面を形成する。
【００３４】
従って、底部材３の両底壁１２、１２が略水平に開くことで、容器本体２に自立性が生じ、図２（ｂ）のように、底部材３を利用して所望の場所に立て置くことが可能になるので、容器本体２を常時手で持っていなければならないという不便を解消することができる。なお、図２（ａ）乃至（ｃ）は、筒状に展開させた容器本体２に対して内部の収容物を省いた状態を示している。
【００３５】
次に、容器本体２に収納した収容物ａを食する場合は、手で保持した容器本体２を、図６（ａ）乃至（ｃ）のように、一方の側壁４が下になるようにして倒し、蓋壁９側が下がるように全体を傾斜させると、蓋壁９に設けた切り欠き１０の部分から収容物ａが転がり出てくるので、一方側壁４の端部を口に臨ませれば、図６（ｃ）のように、収容物ａに手を触れることなく片手で食することができ衛生的である。
【００３６】
また、収容物ａを多く食したい場合は、図６（ａ）の矢印のように、容器本体２の両側に加える力を強くして側壁４、４の湾曲を多くし、図６（ｂ）のように、一方側壁４と蓋壁９の間に隙間を生じさせることで、この隙間からも収容物ａが転げ出るようにすればよい。
【００３７】
なお、上記自立可能な折り畳み容器１において、収納する収容物ａとしてポップコーンやフライドポテト、各種ファーストフード類を挙げることができ、容器本体２は、例えば、収納量の異なるＬ・Ｍ・Ｓ等の種類を用意しておくと便利であり、透明、不透明の何れでもよく、印刷や内面コート加工を施して付加価値を向上させるようにすることができる。
【００３８】
上記のように、この考案の自立可能な折り畳み容器１は、運搬時や保管時の利便性を維持するように全体を扁平に折り畳むことができる条件を維持しながら、ワンタッチで筒状の容器に展開させることができ、用途や使用する場所を選ばないが、狭い場所にも立てて置くことができ、手で直接収容物を掴むことなく片手で食せるので、例えば、手が汚れるようなパチンコ店や遊技場、ゲームセンター等において用いると便利である。
【符号の説明】
【００３９】
１        自立可能な折り畳み容器
２        容器本体
３        底部材
４        側壁
５        折り目線
６        糊付け片
７        接続片
８        折り曲げ線
９        蓋壁
１０      切り欠き
１１      折り目線
１２      底壁
１３      中央長孔
１４      外側長孔
【図１】
0003152642.tif 000003
【図２】
0003152642.tif 000004
【図３】
0003152642.tif 000005
【図４】
0003152642.tif 000006
【図５】
0003152642.tif 000007
【図６】
0003152642.tif 000008